(57)【特許請求の範囲】
【請求項１】
カメラ部とカメラコントロール部とからなるビデオカメラ装置において、
上記カメラ部は、
輝度信号と特定色相検出信号を直角二相変調する直角二相変調器と、
上記直角二相変調器によって変調された変調信号を出力する出力手段とを備え、
上記カメラコントロール部は、
上記変調信号を受信する受信手段と、
上記受信手段により受信した変調信号を上記輝度信号と上記特定色相検出信号に復調する復調手段と、
上記輝度信号と上記特定色相検出信号を加算する加算手段とを備える
ことを特徴とするビデオカメラ装置。
【請求項２】
カメラ部の動作を制御するカメラコントロールユニットであって、
上記カメラ部から伝送されてきた、輝度信号と特定色相検出信号を直角二相変調した変調信号を受信する受信手段と、
上記受信手段により受信した変調信号を上記輝度信号と上記特定色相検出信号に復調する復調手段と、
上記輝度信号と上記特定色相検出信号を加算する加算手段とを備える
ことを特徴とするカメラコントロールユニット。
【発明の詳細な説明】
【０００１】
【産業上の利用分野】
この発明は、カメラ部とその動作を制御するカメラコントロール部とを有し、カメラ部にはビデオ信号より特定色相部分を検出する特定色相検出手段を設けてなるビデオカメラ装置およびカメラコントロールユニットに関する。
【０００２】
【従来の技術】
図３は、カラービデオカメラ装置の一例の構成を示している。図において、撮像レンズ１を通して入射された被写体からの像光は色分解プリズム２に供給されて赤色光、緑色光、青色光に分解されてそれぞれＣＣＤ固体撮像素子３Ｒ，３Ｇ，３Ｂに導かれる。そして、撮像素子３Ｒ，３Ｇ，３Ｂの撮像面上にはそれぞれ被写体に係る赤色画像、緑色画像、青色画像が結像されて撮像が行われる。撮像素子３Ｒ，３Ｇ，３ＢのそれぞれはＣＣＤ駆動回路４でもって駆動される。
【０００３】
また、撮像素子３Ｒ，３Ｇ，３Ｂより出力される赤色信号、緑色信号、青色信号はそれぞれビデオアンプ部（ＶＡ部）５を構成する信号処理回路５Ｒ，５Ｇ，５Ｂに供給される。信号処理回路５Ｒ，５Ｇ，５Ｂは、それぞれ黒部分のシェーディング補正回路、低光量時撮像用の＋３ｄＢ、＋６ｄＢ、・・・のゲインアップ回路、ホワイトバランス、ホワイトシェーディング補正用のゲインコントロール回路、フレア補正回路等を有して構成されている。
【０００４】
ＶＡ部５の信号処理回路５Ｒ，５Ｇ，５Ｂより出力される赤色信号、緑色信号、青色信号はイメージエンハンサ部（ＩＥ部）６に供給される。すなわち、信号処理回路５Ｒ，５Ｇ，５Ｂより出力される赤色信号Ｒ０Ｈ、緑色信号Ｇ０Ｈ、青色信号Ｂ０Ｈはそれぞれ水平／垂直の輪郭強調信号形成回路（ディテール回路）７に供給される。また、信号処理回路５Ｒ，５Ｇ，５Ｂより出力される赤色信号、緑色信号、青色信号は、それぞれ遅延回路９Ｒ，１０Ｒの直列回路、遅延回路９Ｇ，１０Ｇの直列回路、遅延回路９Ｂ，１０Ｂの直列回路に供給される。遅延回路９Ｒ，９Ｇ，９Ｂ，１０Ｒ，１０Ｇ，１０Ｂはそれぞれ１水平期間（１Ｈ）の遅延時間を有するものである。
【０００５】
遅延回路９Ｒ，９Ｇ，９Ｂよりそれぞれ出力される１水平期間遅延された赤色信号Ｒ１Ｈ、緑色信号Ｇ１Ｈ、青色信号Ｂ１Ｈと遅延回路１０Ｒ，１０Ｇ，１０Ｂよりそれぞれ出力される２水平期間遅延された赤色信号Ｒ２Ｈ、緑色信号Ｇ２Ｈ、青色信号Ｂ２Ｈは形成回路７に供給される。形成回路７では、それぞれ赤色信号Ｒ０Ｈ，Ｒ１Ｈ，Ｒ２Ｈ、緑色信号Ｇ０Ｈ，Ｇ１Ｈ，Ｇ２Ｈ、青色信号Ｂ０Ｈ，Ｂ１Ｈ，Ｂ２Ｈに基づいて水平輪郭強調信号および垂直輪郭強調信号が形成されるると共に、これら水平および垂直の輪郭強調信号が加算されて輪郭強調信号が形成される。形成回路７より出力される輪郭強調信号はゲインコントロールアンプ１１でレベル制御されて輪郭強調信号ＳＤＴＬとして出力される。
【０００６】
また、遅延回路９Ｒ，９Ｇ，９Ｂよりそれぞれ出力される１水平期間遅延された赤色信号Ｒ１Ｈ、緑色信号Ｇ１Ｈ、青色信号Ｂ１Ｈは特定色相検出回路８に供給される。この特定色相検出回路８では特定色相、本例ではスキントーン（肌色）の色相部分の検出が行われる。そして、検出回路８より出力される特定色相検出信号ＳＰＤはアンプ１１にゲイン制御信号として供給される。この場合、特定色相の部分ではアンプ１１のゲインが小さくなるように制御され、アンプ１１より出力される輪郭強調信号ＳＤＴＬのレベルが小さくされる。これによりスキントーンの色相部分で輪郭強調信号ＳＤＴＬのレベルが小さくされるため、例えば人物の顔の部分の輪郭強調量のみが低減されることとなる。
【０００７】
ＩＥ部６の遅延回路９Ｒ，９Ｇ，９Ｂよりそれぞれ出力される赤色信号Ｒ１Ｈ、緑色信号Ｇ１Ｈ、青色信号Ｂ１Ｈはそれぞれ本線ビデオ信号としてプロセス部（ＰＲ部）１３を構成する加算器１４Ｒ，１４Ｇ，１４Ｂに供給されて輪郭強調信号ＳＤＴＬが加算された後に信号処理回路１５Ｒ，１５Ｇ，１５Ｂに供給される。信号処理回路１５Ｒ，１５Ｇ，１５Ｂは、それぞれペデスタル成分付加回路、ダイナミックレンジを圧縮するニー回路、ガンマ補正回路、ホワイトクリップ回路、ブラッククリップ回路等を有して構成されている。
【０００８】
ＰＲ部１３の信号処理回路１５Ｒ，１５Ｇ，１５Ｂより出力される赤色信号、緑色信号、青色信号はそれぞれ伝送回路１６に供給される。伝送回路１６では、例えば赤色信号、緑色信号、青色信号の３原色信号が輝度信号と赤色差信号、青色差信号の形式に変換されると共に、それぞれに変調処理が施されて所定周波数帯域のＲＦ信号が形成される。このＲＦ信号は伝送ラインとしてのトライアクスケーブル１７を介してカメラコントロールユニット（ＣＣＵ）１８に伝送される。ＣＣＵ１８ではＲＦ信号の復調処理や信号規格に合致するようなビデオ信号を形成するエンコード処理等が行われ、形成されるビデオ信号は図示せずもスイッチャー等の局内システムに供給される。
【０００９】
なお、オート部（ＡＴ部）１９はＣＣＵ１８との間の通信、カメラ内のアナログおよびオン／オフ回路のコントロール、自動セットアップ調整を行うための回路であり、シグナルジェネレータ部（ＳＧ部）２０は各種のタイミングパルスを発生するための回路である。
【００１０】
また、２１は各カメラのセットアップを行うためのコントロールパネルを有するマスターセットアップユニット（ＭＳＵ）である。ＭＳＵ２１からのデータはコマンドネットワークユニット（ＣＮＵ）２２で各カメラのカメラコントロールユニットＣＣＵ１８に振り分け供給される。これにより、ＭＳＵ２１の操作でもって各カメラのセットアップを行うことができる。
【００１１】
また、図４は、従来の特定色相検出回路の構成例を示している。図において、赤色信号Ｒ、緑色信号Ｇ、青色信号Ｂはそれぞれマトリックス回路３０Ｒ，３０Ｂに供給されて赤色差信号Ｒ−Ｙ、青色差信号Ｂ−Ｙに変換される。マトリックス回路３０Ｒ，３０Ｂより出力される色差信号Ｒ−Ｙ，Ｂ−Ｙはそれぞれローパスフィルタ３１Ｒ，３１Ｂに供給されて帯域制限される。ローパスフィルタ３１Ｒ，３１Ｂは、それぞれ色差信号Ｒ−Ｙ，Ｂ−Ｙに含まれるＣＣＤカメラ特有のエリアシング成分を軽減するためのものである。
【００１２】
ローパスフィルタ３１Ｒ，３１Ｂで帯域制限された色差信号Ｒ−Ｙ，Ｂ−Ｙは、それぞれ可変抵抗器３５ａ，３６ａで構成される加算比可変形加算器３５，３６に供給される。加算器３５，３６にはそれぞれ加算比を制御するための制御信号ＣＬ１，ＣＬ２が供給される。
【００１３】
加算器３５では、制御信号ＣＬ１によって色差信号Ｒ−Ｙ，Ｂ−Ｙの加算比が制御されることで、Ｂ−Ｙ軸〜Ｒ−Ｙ軸までの９０度の範囲内にある任意の色相軸Ｐ１の信号成分ＳＣ１を得ることができる。一方、加算器３６では、制御信号ＣＬ２によって色差信号Ｒ−Ｙ，Ｂ−Ｙの加算比が制御されることで、Ｂ−Ｙ軸〜Ｒ−Ｙ軸までの９０度の範囲内にある任意の色相軸Ｐ２の信号成分ＳＣ２を得ることができる。
【００１４】
加算器３５より出力される色相軸Ｐ１の信号成分ＳＣ１は比較器３７の正側端子に供給され、この比較器３７の負側端子は接地される。一方、加算器３６より出力される色相軸Ｐ２の信号成分ＳＣ２は比較器３８の負側端子に供給され、この比較器３８の正側端子は接地される。比較器３７からは信号成分ＳＣ１が正であるときハイレベル「Ｈ」となる信号が出力され、比較器３８からは信号成分ＳＣ２が負であるときハイレベル「Ｈ」となる信号が出力される。
【００１５】
比較器３７，３８の出力信号はアンド回路３９に供給されて論理積がとられる。この場合、色相軸Ｐ１の信号成分ＳＣ１が正で、かつ色相軸Ｐ２の信号成分ＳＣ２が負であるときは、アンド回路３９よりハイレベル「Ｈ」の信号が出力される。すなわち、アンド回路３９からは図５の斜線領域部分でハイレベル「Ｈ」の信号が出力され、このアンド回路３９より出力されるハイレベル「Ｈ」の信号が特定色相検出信号ＳＰＤとされる。ここで、加算器３５，３６の加算比を制御して色相軸Ｐ１，Ｐ２を変化させることで斜線領域部分、従って検出色相領域を変更でき、検出色相を変化させることができる。
【００１６】
上述せずも従来、所望の色相領域で特定色相検出信号ＳＰＤが得られるようにカメラコントロールユニット１８側で検出色相を変化させるために、カメラコントロールユニット１８側で特定色相検出信号ＳＰＤが得られる範囲をモニタ画面で監視することが行われている。
【００１７】
従来は、図６に示すような構成とされ、特定色相検出信号ＳＰＤが輝度信号Ｙにに加算されることでカメラ部側からカメラコントロールユニット１８側に伝送されている。すなわち、カメラ部側の伝送回路１６では輝度信号Ｙおよび特定色相検出信号ＳＰＤが加算器１６ａで加算された後に変調器１６ｂで変調処理が施されてＲＦ信号ＳＲＦ１が形成される。そして、このＲＦ信号ＳＲＦ１が加算器１６ｃで他のＲＦ信号ＳＲＦ２と加算された後にケーブル１７を介してカメラコントロールユニット１８の分波フィルタ１８ａに供給される。
【００１８】
分波フィルタ１８ａからはＲＦ信号ＳＲＦ１と、他のＲＦ信号ＳＲＦ２とが分離して出力される。分波フィルタ１８ａより出力されるＲＦ信号ＳＲＦ１は復調器１８ｂに供給されて復調処理が施され、この復調器１８ｂより輝度信号Ｙおよび特定色相検出信号ＳＰＤの加算信号（Ｙ＋ＳＰＤ）が出力される。この加算信号（Ｙ＋ＳＰＤ）をモニタ用ビデオ信号とすることで、モニタ画面には特定色検出信号ＳＰＤが得られる範囲で例えば白表示となる画像が表示され、これにより特定色相検出信号ＳＰＤが得られる範囲をモニタ画面で監視することが可能となる。
【００１９】
【発明が解決しようとする課題】
しかし、図６の例のように特定色相検出信号ＳＰＤを輝度信号Ｙに加算することでカメラ側よりカメラコントロールユニット１８側に伝送するものによれば、カメラコントロールユニット１８側で輝度信号Ｙと特定色相検出信号ＳＰＤとを分離できない。そのため、カメラコントローラユニット１８側でオンエア中等で輝度信号Ｙを他の用途で使用しているときは、カメラ側で輝度信号Ｙに特定色相検出信号ＳＰＤを加算することができず、特定色相検出信号ＳＰＤが得られる範囲をモニタ画面で監視することができず、カメラコントロールユニット１８側で検出色相を変化させて特定色相検出信号ＳＰＤが得られる範囲を調整することができないという問題点があった。
【００２０】
そこで、この発明では、ビデオ信号を他の用途に使用しているときでも、モニタ画面で特定色相検出信号が得られる範囲を監視し得るビデオカメラ装置およびカメラコントロールユニットを提供するものである。
【００２１】
【課題を解決するための手段】
請求項１の発明に係るビデオカメラ装置は、カメラ部とカメラコントロール部とからなるビデオカメラ装置において、カメラ部は、輝度信号と特定色相検出信号を直角二相変調する直角二相変調器と、直角二相変調器によって変調された変調信号を出力する出力手段とを備え、カメラコントロール部は、変調信号を受信する受信手段と、受信手段により受信した変調信号を輝度信号と特定色相検出信号に復調する復調手段と、輝度信号と特定色相検出信号を加算する加算手段とを備えるものである。
【００２２】
請求項２の発明に係るカメラコントロールユニットは、カメラ部の動作を制御するカメラコントロールユニットであって、カメラ部から伝送されてきた、輝度信号と特定色相検出信号を直角二相変調した変調信号を受信する受信手段と、受信手段により受信した変調信号を上記輝度信号と上記特定色相検出信号に復調する復調手段と、輝度信号と特定色相検出信号を加算する加算手段とを備えるものである。
【００２５】
【作用】
請求項１の発明においては、特定色相検出信号がカメラ部よりカメラコントロール部に伝送されるため、この特定色相検出信号をカメラ部からのビデオ信号に加算してモニタ用ビデオ信号とすることで、モニタ画面には特定色相検出信号が得られる範囲で例えば白表示となる画像が表示され、これにより特定色相検出信号が得られる範囲をモニタ画面で監視することが可能となる。
【００２６】
この場合、カメラ部からのビデオ信号と特定色相検出信号との加算信号をモニタ用ビデオ信号として使用すると共に、特定色相検出信号に影響されないカメラ部からのビデオ信号を他の用途で使用することで、カメラ部からのビデオ信号をオンエア中等で他の用途で使用しているときでも、特定色相検出信号が得られる範囲をモニタ画面で監視でき、カメラコントロール部側で検出色相を変化させて特定色相検出信号が得られる範囲を調整することが可能となる。
【００２７】
また、特定色相検出信号をビデオ信号と分離可能な状態で合成して伝送することで、カメラコントロール部側でビデオ信号および特定色相検出信号を良好に分離でき、これらビデオ信号および特定色相検出信号を加算してモニタ用ビデオ信号とすることで、モニタ画面には特定色相検出信号が得られる範囲で例えば白表示となる画像が表示され、これにより特定色相検出信号が得られる範囲をモニタ画面で監視することが可能となる。
【００２８】
この場合、カメラコントロール部側で分離されたビデオ信号および特定色相検出信号の加算信号をモニタ用ビデオ信号として使用すると共に、分離されたビデオ信号を他の用途で使用することで、ビデオ信号をオンエア中等で他の用途で使用しているときでも、特定色相検出信号が得られる範囲をモニタ画面で監視でき、カメラコントロール部側で検出色相を変化させて特定色相検出信号が得られる範囲を調整することが可能となる。
【００２９】
また、ビデオ信号および特定色相検出信号を直角二相変調して伝送することで、カメラコントロール部側でビデオ信号および特定色相検出信号を良好に分離することが可能となる。
【００３０】
また、ビデオ信号および特定色相検出信号を時分割多重して伝送することで、カメラコントロール部側でビデオ信号および特定色相検出信号を良好に分離することが可能となる。
請求項２の発明においては、カメラ部より伝送されてくる特定色相検出信号を受信でき、ビデオ信号と分離して特定色相検出信号を得り、この特定色相検出信号をカメラ部からのビデオ信号に加算してモニタ用ビデオ信号とすることで、モニタ画面には特定色相検出信号が得られる範囲で例えば白表示となる画像が表示され、これにより特定色相検出信号が得られる範囲をモニタ画面で監視することが可能となる。
【００３１】
【実施例】
以下、図１を参照しながら、この発明の第１実施例について説明する。本例においては、輝度信号Ｙおよび特定色相検出信号ＳＰＤを直角二相変調してカメラ部側よりカメラコントロールユニット１８側に伝送するものである。この図１において、図６と対応する部分には同一符号を付し、その詳細説明は省略する。
【００３２】
図において、カメラ部側の伝送回路１６では輝度信号Ｙおよび特定色相検出信号ＳＰＤが直角二相変調器（ＱＡＭ変調器）１６ｄに供給される。すなわち、輝度信号ＹはＩ軸変調器１６ｅに供給されて変調され、この変調器１６ｅより出力されるＩ軸変調信号は加算器１６ｇに供給される。また、特定色相検出信号ＳＰＤはＱ軸変調器１６ｆに供給されて変調され、この変調器１６ｆより出力されるＱ軸変調信号は加算器１６ｇに供給される。
【００３３】
加算器１６ｇより出力される加算信号、従って直角二相変調信号ＳＲＦ３は加算器１６ｃで他のＲＦ信号ＳＲＦ２と加算された後にケーブル１７を介してカメラコントロールユニット１８の分波フィルタ１８ａに供給される。
【００３４】
分波フィルタ１８ａからは直角二相変調信号ＳＲＦ３と、他のＲＦ信号ＳＲＦ２とが分離して出力される。分波フィルタ１８ａより出力される直角二相変調信号ＳＲＦ３は直角二相復調器（ＱＡＭ復調器）１８ｃを構成するＩ軸復調器１８ｄおよびＱ軸復調器１８ｅに供給される。Ｉ軸復調器１８ｄでは直角二相変調信号ＳＲＦ３に含まれるＩ軸変調信号が復調され、この復調器１８ｄからは輝度信号Ｙが出力される。一方、Ｑ軸復調器１８ｅでは直角二相変調信号ＳＲＦ３に含まれるＱ軸変調信号が復調され、この復調器１８ｅからは特定色相検出信号ＳＰＤが出力される。
【００３５】
そして、加算器１８で輝度信号Ｙおよび特定色相検出信号ＳＰＤが加算され、その加算信号（Ｙ＋ＳＰＤ）が出力される。この加算信号（Ｙ＋ＳＰＤ）をモニタ用ビデオ信号とすることで、モニタ画面には特定色相検出信号ＳＰＤが得られる範囲で例えば白表示となる画像が表示され、これにより特定色相検出信号ＳＰＤが得られる範囲をモニタ画面で監視することが可能となる。
【００３６】
本例においては、輝度信号Ｙおよび特定色相検出信号ＳＰＤを直角二相変調してカメラ部側よりカメラコントロールユニット１８側に伝送するものであり、カメラコントロールユニット１８側で輝度信号Ｙおよび特定色相検出信号ＳＰＤを良好に分離できる。そのため、加算器１８ｆより出力される輝度信号Ｙと特定色相検出信号ＳＰＤの加算信号（Ｙ＋ＳＰＤ）をモニタ用ビデオ信号として使用すると共に、復調器１８ｄより出力される輝度信号Ｙを他の用途で使用することで、輝度信号Ｙをオンエア中等で他の用途で使用しているときでも、特定色相検出信号ＳＰＤが得られる範囲をモニタ画面で監視でき、カメラコントロールユニット１８側で検出色相を変化させて特定色相検出信号ＳＰＤが得られる範囲を調整できる。したがって、例えばオンエア中に被写体の色温度が変わったり異なる被写体を撮像した場合に、特定色相検出信号ＳＰＤが得られる範囲をリアルタイムで設定できる。
【００３７】
次に、図２を参照しながら、この発明の第２実施例について説明する。本例においては、特定色相検出信号ＳＰＤを独立のチャネルでもってカメラ部側よりカメラコントロールユニット１８側に伝送するものである。この図２において、図１と対応する部分には同一符号を付し、その詳細説明は省略する。
【００３８】
図において、カメラ部側の伝送回路１６では特定色相検出信号ＳＰＤが変調器１６ｂで変調されてＲＦ信号ＳＲＦ４が形成される。そして、このＲＦ信号ＳＲＦ４が加算器１６ｃで他のＲＦ信号ＳＲＦ２と加算された後にケーブル１７を介してカメラコントロールユニット１８の分波フィルタ１８ａに供給される。
【００３９】
分波フィルタ１８ａからはＲＦ信号ＳＲＦ４と、他のＲＦ信号ＳＲＦ２とが分離して出力される。分波フィルタ１８ａより出力されるＲＦ信号ＳＲＦ４は復調器１８ｂに供給されて復調処理が施され、この復調器１８ｂより特定色相検出信号ＳＰＤが出力される。そして、加算器１８ｇで特定色相検出信号ＳＰＤと他のチャネルでもってカメラ部側から伝送されてきた輝度信号Ｙとが加算され、その加算信号（Ｙ＋ＳＰＤ）が出力される。この加算信号（Ｙ＋ＳＰＤ）をモニタ用ビデオ信号とすることで、モニタ画面には特定色相検出信号ＳＰＤが得られる範囲で例えば白表示となる画像が表示され、これにより特定色相検出信号ＳＰＤが得られる範囲をモニタ画面で監視することが可能となる。
【００４０】
本例においては、特定色相検出信号ＳＰＤが輝度信号Ｙ等とは独立したチャネルでカメラ部側よりカメラコントロールユニット１８側に伝送されるため、加算器１８ｇより出力される輝度信号Ｙと特定色相検出信号ＳＰＤの加算信号（Ｙ＋ＳＰＤ）をモニタ用ビデオ信号として使用すると共に、他のチャネルで伝送された輝度信号Ｙを他の用途で使用することで、オンエア中等で輝度信号Ｙを他の用途で使用しているときでも、特定色相検出信号ＳＰＤが得られる範囲をモニタ画面で監視でき、カメラコントロールユニット１８側で検出色相を変化させて特定色相検出信号ＳＰＤが得られる範囲を調整できる。したがって、図１の例と同様に、例えばオンエア中に被写体の色温度が変わったり異なる被写体を撮像した場合に、特定色相検出信号ＳＰＤが得られる範囲をリアルタイムで設定できる。
【００４１】
なお、上述せずも、特定色相検出信号ＳＰＤを他の信号と時分割多重することで、カメラ部側からカメラコントロールユニット１８側に伝送し、これによりカメラコントロールユニット１８側で特定色相検出信号ＳＰＤと他の信号とを分離するようにしてもよい。この場合、例えば特定色相検出信号ＳＰＤを時間軸圧縮し、輝度信号等のビデオ信号のブランキング期間に挿入して伝送することもできる。
【００４２】
また、上述実施例においては、特定色相検出信号ＳＰＤをケーブル１７を使用してカメラ部側よりカメラコントロールユニット１８側に伝送するものであるが、他の専用のケーブルを使用して伝送することも考えられる。
【００４３】
【発明の効果】
請求項１の発明によれば、特定色相検出信号がカメラ部よりカメラコントロール部に伝送されるため、この特定色相検出信号をカメラ部からのビデオ信号に加算してモニタ用ビデオ信号とすることで、モニタ画面には特定色相検出信号が得られる範囲で例えば白表示となる画像が表示され、これにより特定色相検出信号が得られる範囲をモニタ画面で監視できる。しかも、カメラ部からのビデオ信号と特定色相検出信号との加算信号をモニタ用ビデオ信号として使用すると共に、特定色相検出信号に影響されないカメラ部からのビデオ信号を他の用途で使用することで、カメラ部からのビデオ信号をオンエア中等で他の用途で使用しているときでも、特定色相検出信号が得られる範囲をモニタ画面で監視でき、カメラコントロール部側で検出色相を変化させて特定色相検出信号が得られる範囲を調整できる。
【００４４】
また、特定色相検出信号をビデオ信号と分離可能な状態で合成して伝送することで、カメラコントロール部側でビデオ信号および特定色相検出信号を良好に分離でき、これらビデオ信号および特定色相検出信号を加算してモニタ用ビデオ信号とすることで、モニタ画面には特定色相検出信号が得られる範囲で例えば白表示となる画像が表示され、これにより特定色相検出信号が得られる範囲をモニタ画面で監視できる。しかも、分離されたビデオ信号および特定色相検出信号の加算信号をモニタ用ビデオ信号として使用すると共に、分離されたビデオ信号を他の用途で使用することで、ビデオ信号をオンエア中等で他の用途で使用しているときでも、特定色相検出信号が得られる範囲をモニタ画面で監視でき、カメラコントロール部側で検出色相を変化させて特定色相検出信号が得られる範囲を調整できる。
【００４５】
また、ビデオ信号および特定色相検出信号を直角二相変調して伝送することで、カメラコントロール部側でビデオ信号および特定色相検出信号を良好に分離することができる。
【００４６】
また、ビデオ信号および特定色相検出信号を時分割多重して伝送することで、カメラコントロール部側でビデオ信号および特定色相検出信号を良好に分離することができる。
請求項２の発明によれば、カメラ部より伝送されてくる特定色相検出信号を受信でき、ビデオ信号と分離して特定色相検出信号を得り、この特定色相検出信号をカメラ部からのビデオ信号に加算してモニタ用ビデオ信号とすることで、モニタ画面には特定色相検出信号が得られる範囲で例えば白表示となる画像が表示され、これにより特定色相検出信号が得られる範囲をモニタ画面で監視できる。
【図面の簡単な説明】
【図１】この発明に係るビデオカメラ装置の第１実施例を示す構成図である。
【図２】この発明に係るビデオカメラ装置の第２実施例を示す構成図である。
【図３】カラービデオカメラ装置の構成を示す図である。
【図４】特定色相検出回路の一例を示す構成図である。
【図５】特定色相の検出動作を説明するための図である。
【図６】従来のビデオカメラ装置を示す構成図である。
【符号の説明】
１  撮像レンズ
２  色分解プリズム
３Ｒ，３Ｇ，３Ｂ  ＣＣＤ固体撮像素子
５  ビデオアンプ部（ＶＡ部）
６  イメージエンハンサ部（ＩＥ部）
７  水平／垂直の輪郭強調信号形成回路
８  特定色相検出回路
１１  ゲインコントロールアンプ
１３  プロセス部（ＰＲ部）
１４Ｒ，１４Ｇ，１４Ｂ，１６ｃ，１８ｆ，１８ｇ  加算器
１６  伝送回路
１６ｄ  直角二相変調器（ＱＡＭ変調器）
１７  トライアクスケーブル
１８  カメラコントロールユニット
１８ａ  分波フィルタ
１８ｃ  直角二相復調器（ＱＡＭ復調器）
【図１】
0003617087.tif 000002
【図２】
0003617087.tif 000003
【図３】
0003617087.tif 000004
【図４】
0003617087.tif 000005
【図５】
0003617087.tif 000006
【図６】
0003617087.tif 000007